(57)【要約】【課題】技術的に未熟なプレーヤであっても、簡単に、理想的なスイングを身に付けることができるスイング矯正用器具を提供する。【解決手段】レンチキュラーシートが貼着されて、所定の画像を表示する表示面３を具備した表示板２と、表示板２を支持する部材であって、ゴルフクラブのシャフト部に連結する連結部１２を具備した支持部材１０とを備える。表示板２は、支持部材１０がゴルフクラブ２０に連結された際、表示面３がプレーヤによって正視されるように支持部材１０によって支持される。表示面３は、正視位置にあるときと、シャフト部の中心軸を中心として、その左右方向に回転した位置にあるときとで異なる画像が視認されるように構成される。【選択図】図１
2008022897.tif 000002
【特許請求の範囲】
【請求項１】
ゴルフクラブのシャフト部に装着された状態で使用され、該ゴルフクラブを用いてスイングするプレーヤのフォームを矯正するための器具であって、
レンチキュラーシートが貼着されて、所定の画像を表示する表示面を具備した表示板と、
前記表示板を支持する部材であって、前記ゴルフクラブのシャフト部に連結する連結部を具備した支持部材とを備えて構成されるとともに、
前記表示板は、前記支持部材が前記ゴルフクラブに連結された際、前記表示面が前記プレーヤによって正視されるように前記支持部材によって支持され、
前記表示面は、前記正視位置にあるときと、前記シャフト部の中心軸を中心として、その左右方向に回転した位置にあるときとで異なる画像が視認されるように構成されてなることを特徴とするスイング矯正用器具。
【請求項２】
前記表示板の表示面は、前記正視位置にあるときに第１の画像が視認され、前記シャフト部の中心軸を中心として、前記正視位置から左回りに３０度以上回転したときに第２の画像が視認され、前記正視位置から右回りに３０度以上回転したときに第３の画像が視認されるように構成されてなることを特徴とする請求項１記載のスイング矯正用器具。
【請求項３】
前記連結部は環状に形成されてなり、該連結部が前記ゴルフクラブのシャフト部に外嵌されることで、該ゴルフクラブに連結されるように構成されてなることを特徴とする請求項１又は２記載のスイング矯正用器具。
【請求項４】
前記表示板は、前記環状連結部の中心軸と直交する軸線を中心として、その軸線回りに湾曲した形状に形成されてなることを特徴とする請求項３記載のスイング矯正用器具。
【請求項５】
前記表示板は、その表示面が凹曲面となるように形成されてなることを特徴とする請求項４記載のスイング矯正用器具。
【請求項６】
前記表示板は、前記ゴルフクラブのシャフト部に対して傾倒可能に前記支持部材によって支持されてなることを特徴とする請求項１乃至５記載のいずれかのスイング矯正用器具。
【発明の詳細な説明】
【技術分野】
【０００１】
本発明は、ゴルフプレーヤのスイングフォームを矯正するための器具であって、ゴルフクラブのシャフト部に装着した状態で使用されるスイング矯正用の器具に関する。
【背景技術】
【０００２】
ゴルフの基本的なスイングは、打ち出された球筋がフックやスライスといった曲がりを生じないストレートな球筋となるようなスイングであり、このようなスイングを実現するには、アドレスからテイクバック，トップ，ダウンスイング，インパクトに至る一連の動作中に、ゴルフクラブのフェースがスクェアに保たれている必要があると言われている。ゴルフプレーヤは、まず、このような基本的なスイングを身に付ける必要がある。
【０００３】
ところが、一般のアマチュアゴルファーの場合、インストラクターに頼らないで、独自にこのような基本的なスイングを身に付けるのは容易なことではなく、自ずと我流のスイングになる傾向にあった。
【０００４】
そこで、従来、特開平９−３８２６４号公報に開示されるような、ゴルフ用矯正プレートが開示されている。この矯正プレートは、水平板とこの水平板上に垂直に突設された起立板と、水平板をクラブシャフトに装着するための取付手段とからなる。
【０００５】
この矯正プレートでは、まず始めに、矯正プレートの起立板の縁面部がクラブヘッドの延長線上に並ぶように、言い換えれば、アドレスの際、矯正プレートの水平板の面がプレーヤの顔と直面するように矯正プレートの向きを調整して、グリップ近くのクラブシャフトに装着するとともに、水平板が、仮想の理想的なスイングプレーンと平行になるように、水平板の傾斜角を調整する。
【０００６】
このように調整された矯正プレートの起立板はクラブフェースの向きを示す指標となり、水平板は仮想のスイングプレーンと平行になっているかどうかを確認するための指標となるもので、スイング動作中のアドレスからテイクバック，トップ，ダウンスイング，インパクトに至る一連の動作中に、水平板の姿勢を確認することでクラブヘッドが仮想のスイングプレーン中にあるかどうかを確認することができ、また、インパクトの際に起立板の姿勢を確認することで、クラブフェースがスクェアになっているかどうかを確認することができる、というものである。
【０００７】
【特許文献１】特開平９−３８２６４号公報
【発明の開示】
【発明が解決しようとする課題】
【０００８】
しかしながら、上記従来の矯正プレートは、以下の点において、実用性の低いものであった。
【０００９】
即ち、まず、前記起立板は、クラブフェースの向きを示す指標となるとのことであるが、自身のスイングを確認すべくゆっくりとした動作でスイングの練習をする場合に、インパクト時のクラブフェースの向きを確認するには、インパクト位置に達したクラブフェース自体の向きを確認すれば事足りることであり、また、その方が正確であり、わざわざ、グリップ近くのシャフトに装着した起立板の向きを確認するまでもないことである。
【００１０】
また、水平板については、スイング矯正器具を必要とするほど、技術的に未熟なプレーヤの場合、理想的なスイングプレーン自体を認識できていないのが通常であり、したがって、このようなプレーヤとっては、当該水平板を用いた自身のスイングチェックや矯正は到底不可能であった。
【００１１】
このように、従来の矯正プレートでは、技術的に未熟なプレーヤのスイングを十分に矯正することができないものであった。
【００１２】
本発明は、以上の実情に鑑みなされたもので、技術的に未熟なプレーヤであっても、簡単に、理想的なスイングを身に付けることができるスイング矯正用器具の提供を、その目的とする。
【課題を解決するための手段】
【００１３】
上記目的を達成するための本発明は、ゴルフクラブのシャフト部に装着された状態で使用され、該ゴルフクラブを用いてスイングするプレーヤのフォームを矯正するための器具であって、
レンチキュラーシートが貼着されて、所定の画像を表示する表示面を具備した表示板と、
前記表示板を支持する部材であって、前記ゴルフクラブのシャフト部に連結する連結部を具備した支持部材とを備えて構成されるとともに、
前記表示板は、前記支持部材が前記ゴルフクラブに連結された際、前記表示面が前記プレーヤによって正視されるように前記支持部材によって支持され、
前記表示面は、前記正視位置にあるときと、前記シャフト部の中心軸を中心として、その左右方向に回転した位置にあるときとで異なる画像が視認されるように構成されたスイング矯正用器具に係る。
【００１４】
このスイング矯正用器具は、連結部がゴルフクラブのシャフト部に連結されることによって当該シャフト部に装着され、プレーヤがアドレスの姿勢をとったとき、その表示面がプレーヤによって正視されるように、その姿勢が調整される。
【００１５】
このようにして、スイング矯正用器具をゴルフクラブに装着した後、プレーヤはテイクバック，トップ，ダウンスイング，インパクト，フォロースルー，フィニッシュに至る一連のスイング動作をゆっくりと行い、アドレス〜トップ、トップ〜インパクトに至るに至るスイング動作の途中で、スイング矯正用器具の表示面を観察する。
【００１６】
本発明者の知見によると、ゴルフクラブのフェースをスクェアに保ったままで、アドレス〜トップ、トップ〜インパクトに至るスイング動作を行うと、ゴルフクラブに装着されたスイング矯正用器具の表示面は、その法線が当該プレーヤの顔部分にほぼ向けられた状態となり、これを観察するプレーヤは、当該表示面を正視できる状態となっている。したがって、クラブフェースがスクェアに保たれた状態で、アドレス〜トップ、トップ〜インパクトに至るスイング動作が行われると、プレーヤは、そのスイング動作中、アドレス時に表示面上に表示された画像と同一の画像を視認することになる。
【００１７】
一方、スクェアなグリップが、スイング動作中にクローズ又はオープンに変化して、クラブフェースがクローズ又はオープンになると、前記表示面の法線が当該プレーヤの顔部分に向かなくなり、即ち、プレーヤは前記表示面を正視できなくなり、アドレス時に視認された画像とは異なる画像を視認することになる。このグリップの変化は、ゴルフクラブがスクェアな状態からその中心軸回りに回転すること、又はこれに等価な事象であり、このため、プレーヤは表示面を正視できなくなるのである。
【００１８】
斯くして、プレーヤは、スイング動作中に、スイング矯正用器具の表示面を観察し、当該表示面上に同一の画像が表示されるようなスイング動作を行うことで、クラブフェースをスクェアに保った理想的なスイング動作を身に付けることができる。
【００１９】
このように、本発明に係るスイング矯正用器具によれば、スイング矯正のために、特別な技術や知識を要することなく、単に、表示面上に表示される画像を観察することで、正しい理想的なスイングを身に付けることができるので、技術的に未熟なプレーヤであっても、簡単に、理想的なスイングを身に付けることができる。
【００２０】
尚、前記表示板の表示面は、前記正視位置にあるときに第１の画像が視認され、前記シャフト部の中心軸を中心として、前記正視位置から左回りに３０度以上回転したときに第２の画像が視認され、前記正視位置から右回りに３０度以上回転したときに第３の画像が視認されるように構成されていても良い。
【００２１】
このようにすれば、グリップがスクェアであるときには、前記表示面上に第１の画像が視認され、グリップがオープングリップに変化して、前記表示板の表示面が、前記正視位置から左回りに回転すると、前記表示面上に第２の画像が視認され、グリップがクローズグリップに変化して、前記表示板の表示面が、前記正視位置から右回りに回転すると、前記表示面上に第３の画像が視認される。
【００２２】
したがって、プレーヤは、表示面上で視認される画像を観察することで、スイング動作中のグリップが、スクェアであるのか、オープンになっているのか、クローズになっているのかを確認することができる。
【００２３】
また、前記連結部は環状に形成され、当該連結部が前記ゴルフクラブのシャフト部に外嵌されることで、当該ゴルフクラブに連結されるように構成されていても良い。このようにすれば、当該スイング矯正用器具を簡単にゴルフクラブに装着することができる。
【００２４】
また、前記表示板は、前記環状連結部の中心軸と直交する軸線を中心として、その軸線回りに湾曲させた形状とするのが好ましく、更には、表示面を凹曲面とするのが好ましい。このようにすれば、プレーヤが、スイング動作中に、表示面上に表示される画像を視認し易くなる。
【００２５】
また、前記表示板は、前記ゴルフクラブのシャフト部に対して傾倒可能に前記支持部材に支持されているのが好ましい。このようにすれば、スイング矯正用器具をゴルフクラブに装着した際の、表示面の姿勢調整をより簡単かつ正確に行うことができる。
【発明の効果】
【００２６】
以上、説明したように、本発明に係るスイング矯正用器具によれば、スイング矯正のために、特別な技術や知識を要することなく、単に、表示面上に表示される画像を観察することで、正しい理想的なスイングを身に付けることができ、技術的に未熟なプレーヤであっても、簡単に、理想的なスイングを身に付けることができる。
【発明を実施するための最良の形態】
【００２７】
以下、本発明の具体的な実施形態につき、図面に基づいて説明する。図１は、本実施形態に係るスイング矯正用器具（以下、「矯正器具」という）を示した正面図であり、図２は、その側面図である。
【００２８】
図１及び図２に示すように、本例の矯正器具１は、表示板２及びこれを支持する支持部材１０からなる。
【００２９】
前記支持部材１０は、下端部が開口した縦断面逆Ｕ字形の環状連結部１２と、この連結部１２の上面に立設された支持杆１１とからなり、図７に示すように、連結部１２がゴルフクラブ２０のシャフト部２１に外嵌されることで、当該ゴルフクラブ２０に連結される。
【００３０】
尚、前記連結部１２は弾性変形可能に設けられており、シャフト部２１に外嵌される際に弾性変形し、シャフト部２１のヘッドに近い部分（小径部）からグリップに近い部分（大径部）まで、あらゆる部位に装着可能となっている。
【００３１】
前記表示板２は、その表面が画像の表示される表示面３となっており、裏面に前記支持部材１０の支持杆１１が接続して、当該支持部材１０によって支持されている。
【００３２】
この表示板２は、円形若しくは楕円形の平板を、前記連結部１２の中心軸線Ｏ１と直交する軸線Ｏ２を中心として湾曲させた形状を備えており、前記表示面３が凹曲面に形成されている。
【００３３】
前記表示面３には、図６に示すように、３種類の画像５，６，７が直接印刷、又はその印刷物が貼着され、更にこの画像５，６，７上にレンチキュラーシート４が貼着されている。このレンチキュラーシート４は、かまぼこ状の突条レンズを複数並列形成してなるもので、突条側が表に向くように貼着されている。また、前記３種類の画像５，６，７は、前記突条レンズの長手方向に沿って複数に分割され、一つの突条レンズの下に３つの画像５，６，７の各断片（分割画像）が位置するように、これらが順次配置されている。
【００３４】
斯くして、このように構成された表示面３では、これを矢示Ｈ方向の正面から見ると、即ち、正視すると、画像５（以下、「第１の画像５」という）が視認され、右斜め上方から斜めに見ると、即ち、矢示Ｉ向から視ると、画像６（以下、「第２の画像６」という）が視認され、左斜め上方から斜めに見ると、即ち、矢示Ｊ方向から視ると、画像７（以下、「第３の画像７」という）が視認される。
【００３５】
即ち、図２において、矢示Ｄ方向（前記正視方向）から表示面３を見ている状態において、前記軸線Ｏ２が水平な状態にある場合には、図３に示すように、第１の画像５（本例では、アルファベットの「Ａ」という文字）が視認され、矯正器具１が連結部１２の中心軸線Ｏ１を中心にその左回り（図１における矢示Ｅ方向）に回転した場合には、図４に示すように、第２の画像６（本例では、アルファベットの「Ｂ」という文字）が視認され、同じく右回り（図１における矢示Ｆ方向）に回転した場合には、図５に示すように、第３の画像７（本例では、アルファベットの「Ｃ」という文字）が視認される。但し、言うまでもないことであるが、第１の画像５、第２の画像６及び第３の画像７の各図柄は本例のものに何ら限定されるものではない。
【００３６】
次に、以上の構成を備えた矯正器具１の使用方法について説明する。
【００３７】
プレーヤＰは、図７及び図８に示すように、まず、ゴルフクラブ２０のシャフト部２１に前記連結部１２を外嵌することで、当該矯正器具１をゴルフクラブ２０に装着する。
【００３８】
矯正器具１は、シャフト部２１のヘッド近傍位置からグリップ近傍位置までのいずれの位置へも装着可能であるが、プレーヤＰが前記表示面３を視認し易いグリップの近傍位置に装着するのが好ましい。
【００３９】
次に、プレーヤＰは、アドレスの姿勢をとった際に、前記表示面３が自身の顔に向き、当該表示面３を正視することができるように、シャフト部２１の中心軸回りにおける矯正器具１の位置を調整する。言い換えれば、プレーヤＰは、シャフト部２１の中心軸回りに矯正器具１を回転させてその回転位置を調整し、表示面３上に第１の画像５が視認される状態にする。
【００４０】
尚、支持杆１１によって支持される表示板２と連結部１２とがなす角度は、プレーヤＰがアドレスの姿勢をとった際に、前記表示面３を正視することができるような角度に予め設定されている。したがって、プレーヤＰは、上記のように、シャフト部２１の中心軸回りの回転位置を調整するだけで、アドレス時に表示面３を正視できる状態とすることができる。
【００４１】
このようにして、矯正器具１をゴルフクラブ２０に装着した後、プレーヤＰはテイクバック，トップ，ダウンスイング，インパクト，フォロースルー，フィニッシュに至る一連のスイング動作をゆっくりと行い、アドレス〜トップ、トップ〜インパクトに至るスイング動作の途中で、矯正器具１の表示面３を観察する。
【００４２】
ゴルフクラブ２０のフェースをスクェアに保ったままで、アドレス〜トップ、トップ〜インパクトに至るスイング動作を行うと、ゴルフクラブ２０に装着された矯正器具１の表示面３は、図８に示すように、その法線がプレーヤＰの顔部分にほぼ向けられた状態で移動するため、これを観察するプレーヤＰは、スイング動作中常に当該表示面３を正視できる状態となっている。したがって、クラブフェースがスクェアに保たれた状態で、アドレス〜トップ、トップ〜インパクトに至るスイング動作を行うと、プレーヤＰは、そのスイング動作中、アドレス時に表示面３上に表示された第１の画像５と同一の画像を視認することになる。
【００４３】
一方、スクェアなグリップが、スイング動作中にクローズ又はオープンに変化して、クラブフェースがクローズ又はオープンになると、表示面３の法線がプレーヤＰの顔部分に向かなくなり、即ち、プレーヤＰは表示面３を正視できなくなり、アドレス時に視認された第１の画像５とは異なる画像を視認することになる。即ち、グリップがクローズに変化して矯正器具１が図１における矢示Ｅ方向に回転する場合には第２の画像６が視認され、グリップがオープンに変化して矯正器具１が図１における矢示Ｆ方向に回転する場合には第３の画像７が視認される。
【００４４】
グリップの変化は、ゴルフクラブ２０がスクェアな状態からその中心軸回りに回転すること、又はこれに等価な事象であり、このため、プレーヤＰは表示面３を正視できなくなるのである。
【００４５】
斯くして、プレーヤＰは、スイング動作中に、矯正器具１の表示面３を観察し、当該表示面３上に第１の画像５が表示されるようなスイング動作を行うことで、クラブフェースをスクェアに保った理想的なスイング動作を身に付けることができる。
【００４６】
このように、本例の矯正器具１によれば、スイングの矯正のために、特別な技術や知識を要することなく、単に、表示面３上に表示される画像を観察することで、正しい理想的なスイングを身に付けることができるので、技術的に未熟なプレーヤであっても、簡単に、理想的なスイングを身に付けることができる。
【００４７】
また、グリップがスクェアであるときには、表示面３上に第１の画像５が視認され、グリップがオープングリップに変化した場合には、表示面３上に第２の画像６が視認され、グリップがクローズグリップに変化した場合には、表示面３上に第３の画像７が視認されるので、表示面３上で視認される画像の種類を判別することで、プレーヤＰは自身のグリップが、スクェアであるのか、クローズであるのか、或いはオープンであるのかを具体的に認識することができる。
【００４８】
尚、前記第２の画像６は、矯正器具１が正視位置から３０度以上左回りに回転したときに表示面３上に表示され、前記第３の画像７は、矯正器具１が正視位置から３０度以上右回りに回転したときに表示面３上に表示されるように構成されているのが好ましい。
【００４９】
理想的なスイング動作を身に付ける上では、上記角度は値が小さいほど好ましいが、上記角度範囲内であれば、一応許容される程度のスイング動作を身に付けることができる。この意味で、画像が変化する境界としての上記角度は、左右方向それぞれ１５度以内がより好ましく、１０度以内とするのが最も好ましい。
【００５０】
また、前記連結部１２が環状に形成され、当該連結部１２がゴルフクラブ２０のシャフト部２１に外嵌されることで、当該ゴルフクラブ２０に連結されるように構成されているので、当該矯正器具１を簡単にゴルフクラブ２０に装着することができる。
【００５１】
また、表示板２の表示面３を凹曲面に形成しているので、プレーヤＰは、スイング動作中に表示面３上に表示される画像を、極めて容易に視認することができる。
【００５２】
以上、本発明の一実施形態について説明したが、本発明の採り得る具体的な形態は、何ら、上例のものに限定されるものではない。
【００５３】
例えば、前記表示板３は、図９及び図１０に示すように、ゴルフクラブ２０のシャフト部２１（即ち、連結部１２）に対して、傾倒（揺動）可能に支持部材３０によって支持されていても良い。
【００５４】
この支持部材３０は、上記と同じ構造の連結部１２と、この連結部１２の上面上に立設され、先端部がフォーク状に形成された第１の支持杆３１と、一端が表示板２の裏面に固設され、他端が前記第１の支持杆３１のフォーク形状内に挿入された第２の支持杆３２と、これら第１の支持杆３１及び第２の支持杆３２の接続部分に挿通された蝶ボルト３３と、この蝶ボルト３３に螺合されたナット３４とからなる。
【００５５】
この支持部材３０では、蝶ボルト３３とナット３４との締結を緩めると、表示板３が矢示方向に揺動自在となり、逆に蝶ボルト３３とナット３４とを締め付けると、この蝶ボルト３３とナット３４とによって第１の支持杆３１と第２の支持杆３２とが締結され、表示板３が連結部１２に対して固定される。
【００５６】
したがって、かかる構造の支持部材３０によると、表示板３と連結部１２との設定角度を容易に調整することができ、矯正器具１をゴルフクラブ２０に装着した際の、表示面３の姿勢調整をより簡単かつ正確に行うことができる。
【産業上の利用可能性】
【００５７】
以上説明したように、本発明に係るスイング矯正用器具は、理想的なスイングを身に付けることができるスイング矯正用器具として、好適である。
【図面の簡単な説明】
【００５８】
【図１】本発明の一実施形態に係るスイング矯正用器具を示した正面図である。
【図２】図１に示したスイング矯正用器具の側面図である。
【図３】本実施形態に係る表示面の作用を説明するための説明図である。
【図４】本実施形態に係る表示面の作用を説明するための説明図である。
【図５】本実施形態に係る表示面の作用を説明するための説明図である。
【図６】本実施形態に係る表示面の作用を説明するための説明図である。
【図７】本実施形態に係るスイング矯正用器具の使用方法及び作用を説明するための説明図である。
【図８】本実施形態に係るスイング矯正用器具の使用方法及び作用を説明するための説明図である。
【図９】本発明の他の実施形態に係るスイング矯正用器具を示した側面図である。
【図１０】図９に示したスイング矯正用器具の背面図である。
【符号の説明】
【００５９】
１    スイング矯正用器具（矯正器具）
２    表示板
３    表示面
４    レンチキュラーシート
１０  支持部材
１１  支持杆
１２  連結部
２０  ゴルフクラブ
２１  シャフト部
【図１】
2008022897.tif 000003
【図２】
2008022897.tif 000004
【図３】
2008022897.tif 000005
【図４】
2008022897.tif 000006
【図５】
2008022897.tif 000007
【図６】
2008022897.tif 000008
【図７】
2008022897.tif 000009
【図８】
2008022897.tif 000010
【図９】
2008022897.tif 000011
【図１０】
2008022897.tif 000012